(57)【特許請求の範囲】
【請求項１】
互いに平行とされた一対の端子部の上端部間に可溶部が架設され、少なくとも当該一対の端子部の上端部及び当該可溶部を絶縁性のハウジングにより覆われたヒューズと、
前記ヒューズが取り付けられるヒューズ取付部を含むヒューズボックスと、
を備え、
前記ヒューズ取付部が、前記ヒューズをその幅方向に挟むように対向配置されて当該ヒューズのハウジング上面を係止する一対の弾性係止アームと、当該一対の弾性係止アーム及び当該一対の弾性係止アームに係止された前記ヒューズの外周を取り囲む枠と、を有し、
前記枠において前記一対の弾性係止アームの間を臨む箇所に、当該枠の上縁に達する切り欠きが形成され、当該切り欠きの幅方向寸法が、前記ヒューズの幅方向寸法よりも大きい寸法に設定されており、
前記ヒューズが、前記枠の前記切り欠きを通して前記一対の弾性係止アームの間に傾斜して差し込まれ、起こされることにより当該一対の弾性係止アームに係止されることを特徴とするヒューズ取付構造。
【請求項２】
前記ヒューズのハウジング上面を係止する前記弾性係止アームの係止面が、傾斜面とされており、
前記ヒューズが前記一対の弾性係止アームの間に傾斜して差し込まれて起こされる際に、当該ヒューズの側縁が当該一対の弾性係止アームの前記係止面に摺接することを特徴とする請求項１に記載ヒューズ取付構造。
【請求項３】
前記ハウジングが、前記一対の端子部の上端部及び可溶部並びに前記一対の端子部の内側縁部を覆い、
前記枠における前記切り欠きの下方領域に、前記一対の端子部の内側縁部を覆う前記ハウジングの部分に接触するリブが形成されていることを特徴とする請求項１又は請求項２に記載のヒューズ取付構造。
【発明の詳細な説明】
【技術分野】
【０００１】
本発明は、ヒューズボックスにヒューズを取り付けるヒューズ取付構造に関する。
【背景技術】
【０００２】
従来のヒューズ取付構造として、図８に示すものが知られている（例えば、特許文献１参照）。
【０００３】
特許文献１に開示されたヒューズ取付構造では、図８に示すように、ヒューズ１０１は、ヒューズホルダ１０２に取り付けられている。そして、このヒューズホルダ１０２は、ヒューズ１０１のタブ端子１０３が接続される相手端子１０４を収容したヒューズブロック本体１０５に組み付けられている。
【０００４】
ヒューズホルダ１０２は、矩形筒状に形成されており、その内側には、挿入されたヒューズ１０１の上面を係止するための一対の弾性係止アーム１１１が設けられている。弾性係止アーム１０１は上下方向に延在し、その下端部をヒューズホルダ１０２の周壁の内面に連結させている。ヒューズホルダ１０２の上部開口１１２に露呈する弾性係止アーム１１１の上端部には、ヒューズ１０１の上面を係止する係止突部１１３が設けられている。尚、ヒューズの上面と接触する係止突部１１３の係止面１１３ａは水平面とされている。
【０００５】
ヒューズ１０１は、ヒューズホルダ１０２の上部開口１１２から一対の弾性係止アーム１１１の間に差し込まれる。ヒューズ１０１は、係止突部１１３に摺接して弾性係止アーム１１１を外側に撓ませながら一対の弾性係止アーム１１１の間に進入し、そして、その上面を、撓みより復帰した弾性係止アーム１１１の係止突部１１３に係止され、それによりヒューズホルダ１０２に取り付けられる。
【０００６】
【特許文献１】特開平０７−１６９３８２号公報
【発明の開示】
【発明が解決しようとする課題】
【０００７】
特許文献１に開示されたヒューズ取付構造では、ヒューズ１０１は、ヒューズホルダ１０２の上部開口１１２を通して、上方からのみ一対の弾性係止アーム１１１の間に差し込まれる。ここで、近年、ヒューズボックスの小型化等の要請により、ヒューズボックスに取り付けられるヒューズも小型化が図られ、一般には厚みの薄い扁平なものが多く用いられており、これに呼応してヒューズ取付部の上部開口も狭く（ヒューズの厚み方向に対応した方向の寸法が小さく）なる。そのため、ヒューズ取付部の上部開口にヒューズを差し込むことが難しくなってきており、ヒューズの取り付け作業の作業性の低下が懸念される。
【０００８】
本発明は、上記の事情に鑑みてなされたものであり、その目的は、ヒューズの取り付け作業の作業性に優れ、取り付け後のヒューズの保持力に優れるヒューズ取付構造を提供することにある。
【課題を解決するための手段】
【０００９】
上記の目的は、本発明に係る下記（１）〜（３）のヒューズ取付構造により達成される。
【００１０】
（１）互いに平行とされた一対の端子部の上端部間に可溶部が架設され、少なくとも当該一対の端子部の上端部及び当該可溶部を絶縁性のハウジングにより覆われたヒューズと、
前記ヒューズが取り付けられるヒューズ取付部を含むヒューズボックスと、
を備え、
前記ヒューズ取付部が、前記ヒューズをその幅方向に挟むように対向配置されて当該ヒューズのハウジング上面を係止する一対の弾性係止アームと、当該一対の弾性係止アーム及び当該一対の弾性係止アームに係止された前記ヒューズの外周を取り囲む枠と、を有し、
前記枠において前記一対の弾性係止アームの間を臨む箇所に、当該枠の上縁に達する切り欠きが形成され、当該切り欠きの幅方向寸法が、前記ヒューズの幅方向寸法よりも大きい寸法に設定されており、
前記ヒューズが、前記枠の前記切り欠きを通して前記一対の弾性係止アームの間に傾斜して差し込まれ、起こされることにより当該一対の弾性係止アームに係止されることを特徴とするヒューズ取付構造。
【００１１】
（２）前記ヒューズのハウジング上面を係止する前記弾性係止アームの係止面が、傾斜面とされており、
前記ヒューズが前記一対の弾性係止アームの間に傾斜して差し込まれて起こされる際に、当該ヒューズの側縁が当該一対の弾性係止アームの前記係止面に摺接することを特徴とする上記（１）に記載ヒューズ取付構造。
【００１２】
（３）前記ハウジングが、前記一対の端子部の上端部及び可溶部並びに前記一対の端子部の内側縁部を覆い、
前記枠における前記切り欠きの下方領域に、前記一対の端子部の内側縁部を覆う前記ハウジングの部分に接触するリブが形成されていることを特徴とする上記（１）又は（２）に記載のヒューズ取付構造。
【発明の効果】
【００１３】
本発明のヒューズ取付構造では、一対の弾性係止アーム及び当該一対の弾性係止アームにハウジングの上面を係止されたヒューズを取り囲む枠において、一対の弾性係止アームの間を臨む箇所に切り欠きが形成されており、切り欠きの幅方向寸法がヒューズの幅方向寸法よりも大きい寸法に設定されている。そこで、この切り欠きを介して一対の弾性係止アームの間にヒューズを差し込むことができ、ヒューズボックスに取り付けられるヒューズが扁平なものであって、これに呼応して枠の上部開口が狭く形成される場合でも、一対の弾性係止アームの間にヒューズを効率よく差し込むことができ、ヒューズの取り付け作業の作業性を良好なものとすることができる。
【００１４】
そして、本発明のヒューズ取付構造では、一対の弾性係止アームの間に傾斜して差し込まれたヒューズが起こされる際に、ヒューズの側縁がヒューズのハウジング上面を係止する弾性係止アームの係止面に摺接するが、この係止面が傾斜面とされている。そのため、ヒューズの側縁との摺接において弾性係止アームをスムースに撓ませることができ、ヒューズの取り付け作業の作業性を一層良好なものとすることができる。
【００１５】
さらに、本発明のヒューズ取付構造では、枠における切り欠きの下方領域にリブが設けられており、このリブが一対の端子部の内側縁部を覆うハウジングの部分に接触させることで、枠内へのヒューズの挿入のために設定される枠とヒューズとの間の隙間を埋めることができる。それにより、ヒューズを強固に保持し、ヒューズの傾きやがたつきを防止することができる。
【発明を実施するための最良の形態】
【００１６】
以下、図を参照して本発明に係るコネクタの好適な実施形態を説明する。
図１は本発明のヒューズ取付構造の一実施形態に係り、ヒューズボックスの外観斜視図、図２は図１において点線円IIで囲まれたヒューズ取付部の拡大斜視図、図３は図１のヒューズボックスに取り付けられるヒューズの分解斜視図、図４は図３のヒューズの正面図、図５及び図６はヒューズをヒューズ取付部に取り付ける過程を示す断面図、図７はヒューズが傾いて取り付けられている状態を示す断面図である。
【００１７】
図１及び図２に示すように、ヒューズボックス１は、例えば合成樹脂製であって、箱状に成形されており、その内部には、ヒューズ（図３参照）が取り付けられるヒューズ取付部２が形成されており、その他、リレー（不図示）が取り付けられるリレー取付部３等が区画形成されている。
【００１８】
ヒューズボックスのヒューズ取付部２に装着されるヒューズ２０は、図３に示すように、互いに平行に配置された一対の平板端子部２１，２１の上端部間に可溶部２２が架設されたヒューズエレメント２５を絶縁ハウジング２３内に組付けてなるブレード型ヒューズである。各平板端子部２１は、それぞれ略矩形板状を呈しており、これら平板端子部２１，２１の対向する内側縁２１ａ，２１ａの間に横架するように、可溶部２２が所定の断面積をもって設けられている。
【００１９】
絶縁ハウジング２３は、略Ｔ字状を有する一対のハウジング部材２４，２４からなり、ヒューズエレメント２５を厚み方向から挟むようにして一体に結合される。各ハウジング部材２４の内壁面には、それぞれ大小一対のピン２４ａ，２４ａが突設されており、各平板端子部２１にそれぞれ設けられた貫通孔２１ｂを貫通した後に、各ピン２４ａが対峙する各ハウジング部材２４の内壁面に穿設された嵌合孔２４ｂに嵌合される。これにより、ヒューズエレメント２５の可溶部２２及び各平板端子部２１の上端部２１ｃ並びに各平板端子部２１の内側縁部２１ａは、絶縁ハウジング２３により覆われる。
【００２０】
そこで、ヒューズ２０は、図４に示すように、各平板端子部２１の外側縁部２１ｄにおける下端２１ｅから前記可溶部２２の側方に位置する中間部位にかけての表裏面領域２１ｆを露出させており、後述するヒューズ取付部２に設けられた相手端子９（図５，６参照）により、この表裏面領域２１ｆを厚み方向に挟持され、相手端子９に電気的に接続される。かかる構成のヒューズ２０は、厚みの薄い扁平なものとなっている。
【００２１】
ヒューズ２０が取り付けられるヒューズボックス１のヒューズ取付部２は、図２に示すように、ヒューズ２０をその幅方向に挟むように対向配置されて当該ヒューズ２０のハウジング２３の上面を係止する一対の弾性係止アーム４，４と、当該一対の弾性係止アーム及び当該一対の弾性係止アームに係止された前記ヒューズの外周を取り囲む平面視略矩形状の枠５と、を有している。
【００２２】
弾性係止アーム４は、枠５内で上下方向に延在し、その下端部を枠５の内面に連結させている。そして、弾性係止アーム４は、枠５の内面と間に撓み空間をおいて、枠５の内面に連結された下端部より上方に向けて伸び、その上端部を枠５の上部開口に露呈させている。弾性係止アーム４の上端部には、対となる相手側の弾性係止アーム４に向けて突出する係止突部６が設けられている。
【００２３】
ヒューズ２０は、各弾性係止アーム４の上端部を当該弾性係止アーム４と枠５の内面との間におかれた撓み空間に退避させるよう、各弾性係止アーム４外側に撓ませながら一対の弾性係止アーム４の間に差し込まれ、ハウジング２３の上面における幅方向の縁部を係止突部６により係止され、それによりヒューズボックス１に取り付けられる。尚、ハウジング２３の上面を係止する係止突部６の下面（係止面）６ａは、係止突部６の突端から弾性係止アーム４と接続する基端に向かうに従って緩やかな下り勾配となる傾斜面とされている。
【００２４】
ヒューズ取付部２の枠５には、一対の弾性係止アーム４の間を臨む箇所に、当該枠５の上縁に達する切り欠き７が形成されている。この切り欠き７の幅方向寸法Ｗは、ヒューズ２０の幅方向寸法よりも大きい寸法に設定されている。よって、枠５の上部開口に限らず、この切り欠き７を通しても一対の弾性係止アーム４の間にヒューズ２０を差し込むことができるようになっている。
【００２５】
そこで、図５に示すように、ヒューズ２０は、一対の平板端子部２１の下端２１ｅを斜め下方に向ける傾斜した状態で、切り欠き７を通して一対の弾性係止アーム４の間に差し込まれる。この状態から垂直に起こされる過程で、ヒューズ２０の一対の平板端子部２１の露呈した外側縁あるいはハウジング２３の側縁が係止突部６の下面６ａに摺接し、各弾性係止アーム４を外側に撓ませる。係止突部６の下面６ａが、上記の通り傾斜面とされていることにより、ヒューズ２０の一対の平板端子部２１の露呈した外側縁あるいはハウジング２３の側縁との摺接において、スムースに弾性係止アーム４を外側に撓ませることができる。
【００２６】
そして、図６に示すように、ヒューズ２０は垂直に起こされた状態から押し下げられ、ハウジング２３の上面における幅方向の縁部を、撓みから復帰した弾性係止アーム４の係止突部６に係止され、それによりヒューズボックス１に取り付けられる。尚、ヒューズ取付部２の枠５内の底には音叉型の相手端子９が設置されており、ヒューズ２０が押し下げられることにより、各平板端子部２１の表裏面領域２１ｆは、相手端子９のスリット９ａに進入して厚み方向に挟持され、相手端子９に電気的に接続される。
【００２７】
上記の通りヒューズボックス１に取り付けられた状態で、ヒューズ２０は、枠５に切り欠き７が形成されることで厚み方向に上側部分の支持を失っており、枠５内へのヒューズ２０の挿入のために設定された枠５とヒューズ２０との間の隙間により図７に示すように傾き、あるいはがたつく可能性がある。そこで、図２及び図６に示すように、枠５における切り欠き７の下方領域には、枠５内に突出してリブ８が形成されている。
【００２８】
リブ８は、枠５内へのヒューズ２０の挿入方向と平行である上下方向に延在しており、枠５とヒューズ２０との間に設定された隙間を埋め、ヒューズ２０の一対の平板端子部２１の内側縁部を覆うハウジング２３の部分２４ｃに接触し、ヒューズ２０を強固に保持する。
【００２９】
尚、本発明は上述した各実施形態に限定されるものではなく、本発明の要旨を逸脱しない範囲において適宜変更可能である。その他、上述した実施形態における各構成要素の材質、形状、寸法、数値、形態、数、配置箇所、等は本発明を達成できるものであれば任意であり、限定されることはない。
【図面の簡単な説明】
【００３０】
【図１】本発明のヒューズ取付構造の一実施形態に係り、ヒューズボックスの外観斜視図である。
【図２】図１において点線円IIで囲まれたヒューズ取付部の拡大斜視図である。
【図３】図１のヒューズボックスに取り付けられるヒューズの分解斜視図である。
【図４】図３のヒューズの正面図である。
【図５】ヒューズをヒューズ取付部に取り付ける過程を示す断面図である。
【図６】ヒューズをヒューズ取付部に取り付ける過程を示す断面図である。
【図７】ヒューズが傾いて取り付けられている状態を示す断面図である。
【図８】従来のヒューズ取付構造の平面図である。
【符号の説明】
【００３１】
１    ヒューズボックス
２    ヒューズ取付部
４    弾性係止アーム
５    枠
６ａ  係止面
７    切り欠き
８    リブ
２０  ヒューズ
２１  端子部
２２  可溶部
２３  ハウジング
【図１】
0004697797.tif 000002
【図２】
0004697797.tif 000003
【図３】
0004697797.tif 000004
【図４】
0004697797.tif 000005
【図５】
0004697797.tif 000006
【図６】
0004697797.tif 000007
【図７】
0004697797.tif 000008
【図８】
0004697797.tif 000009